(57)【要約】【課題】コンテンツデータを可搬記憶媒体から読み出して記録手段に記録する制御とそれ以外の制御の同時実行が可能な処理装置において、適切な記録速度にて記録制御を実行可能とする。【解決手段】モード１「標準」、モード２「高速」、モード３「中速」という３モードを相互に切り替える。モード１の「同時再生しながら録音中」の状態において、音声をＣＤ以外に切り替えた場合には、モード２に遷移する。この場合は録音中画面のままとし、制御装置２９のＣＰＵ、バス等の性能が許す限りの速度で録音に専念する。モード２の録音画面を表示している状態からナビ画面に切り替えると、録音と同時にナビ機能における表示・案内を実施する必要があるため、制御装置２９においてはナビ機能が動作できるだけのＣＰＵや、バスの負荷を解放し、速度を少し落として録音する。逆の画面の操作や、音声の操作があった場合は、逆の状態遷移をする。【選択図】  図６
2005078776.tif 000002
【特許請求の範囲】
【請求項１】
コンテンツデータを記録するための記録手段と、
コンテンツデータを記憶している可搬記憶媒体から前記コンテンツデータを読み込むための読込手段と、
前記読込手段によって前記可搬記憶媒体から読み込んだコンテンツデータを前記記録手段に記録する記録制御を実行すると共に、当該記録制御以外の制御も並行して実行可能な制御手段と、
録音速度の変更指示を受け付ける変更指示受付手段と、を備え、
前記制御手段は、前記記録制御の開始前後を問わず、前記変更指示受付手段にて受け付けた変更指示に応じた記録速度にて、前記記録制御を実行すること
を特徴とする処理装置。
【請求項２】
コンテンツデータを記録するための記録手段と、
コンテンツデータを記憶している可搬記憶媒体から前記コンテンツデータを読み込むための読込手段と、
前記読込手段によって前記可搬記憶媒体から読み込んだコンテンツデータを前記記録手段に記録する記録制御を実行すると共に、当該記録制御以外の制御も並行して実行可能な制御手段と、を備え、
前記制御手段は、前記記録制御以外の制御の内容に応じ、前記記録制御とそれ以外の制御とが並行して実行可能な最高記録速度で前記記録制御を実行すること
を特徴とする処理装置。
【請求項３】
請求項１又は２に記載の処理装置において、
前記記録制御以外の制御は、前記読込手段によるコンテンツデータ読込に係る制御を含むことを特徴する処理装置。
【請求項４】
請求項１〜３の何れかに記載の処理装置において、
前記記録制御以外の制御は、前記読込手段によって読み込んだコンテンツデータを再生する制御を含むことを特徴する処理装置。
【請求項５】
請求項１〜４の何れかに記載の処理装置において、
車両に搭載されることを特徴する処理装置。
【請求項６】
請求項５に記載の処理装置において、
前記記録制御以外の制御は、ナビゲーション制御を含むことを特徴する処理装置。
【請求項７】
コンピュータを、請求項１〜６の何れかに記載の処理装置の制御手段として機能させるプログラム。
【発明の詳細な説明】
【技術分野】
【０００１】
楽曲データ等のコンテンツデータを可搬記憶媒体から読み出して記録手段に記録する処理及びそれ以外の処理の同時実行が可能な処理装置に関する。
【背景技術】
【０００２】
近年、音楽ＣＤから楽曲データを吸い出してタイトルや歌手名等のアルバム情報と共にハードディスク等に記録し、その記録した楽曲データの中から利用者によって指定された楽曲データを再生する装置が注目を浴びている。そして、このような装置は、例えば車載のカーナビゲーション装置やカーオーディオ装置、あるいはそれらを融合したＡＶＮシステムといった形態でも実現されている。
【０００３】
特に車両内という環境では、乗員が何らかの音楽を聴きたいというニーズは強いため、音楽ＣＤを聞きながら同時に録音する機能がある。その一方で、車を乗っている時間は限られるためにできる限り短時間で録音したいという場合もあり、高速で録音する機能がある。高速で録音する場合には、音楽ＣＤに記憶されている楽曲のＰＣＭデータの再生速度よりも速い速度（例えば２倍速、４倍速）で録音する高速録音モードを選択することとなる（例えば、特許文献１参照。）
【特許文献１】特開２００３−６６９９６号公報
【発明の開示】
【発明が解決しようとする課題】
【０００４】
ところで、上述した車載装置では、同一の制御主体（例えばＣＰＵ）で録音処理や再生処理、ナビゲーション処理等を実行することとなるため、ＣＤドライブの読み込みができる最高の速度で読み込みをするとリソースが不足し、例えばナビゲーション処理を同時に実行したい場合であっても、本来のナビゲーション機能が実現できなくなる可能性がある。そのような問題が生じないようにするため、予めナビゲーション処理が少し動作できる程度に録音速度を遅くすることも考えられる。上述した特許文献１の例で言えば、高速録音モードではなく標準の録音モードを選択することとなる。
【０００５】
しかしながら、従来技術の場合、録音速度は、一端録音を開始してしまうと変更することはできない。例えば音楽ＣＤのアルバム１枚を録音しようとした場合に数十分から１時間もかかるような状況が生じると、既に目的地についてしまっており、音楽ＣＤの録音のためだけに車内に残らなくてはならないという不都合も生じかねない。もちろん、ナビゲーション機能を絶対に使用したい場合にはこのような対処も致し方ないが、状況によってはナビゲーション機能の使用が不要となったり、あるいは望ましくはあった方がよいが、音楽ＣＤの録音を優先するのであればナビゲーション機能は使用しない、といった選択もあり得る。
【０００６】
そして、このような選択は、必ず録音開始前に確定できるというものではなく、状況次第で随時選択の方向性が変わるものである。
本発明はこのような問題に鑑みなされたものであり、コンテンツデータを可搬記憶媒体から読み出して記録手段に記録する制御とそれ以外の制御の同時実行が可能な処理装置において、適切な記録速度にて記録制御を実行可能とすることを目的とする。
【課題を解決するための手段】
【０００７】
請求項１に係る処理装置によれば、制御手段が、コンテンツデータを記憶している可搬記憶媒体（例えば音楽ＣＤ等）から読込手段（例えばＣＤドライブ等）によってコンテンツデータを読み込み、記録手段（例えばハードディスク等）に記録する記録制御を実行すると共に、その記録制御以外の制御も並行して実行することができる。この記録制御以外の制御としては、例えば読込手段によって読み込んだコンテンツデータを再生する制御などが考えられる。また、処理装置が車両に搭載されることを前提とするならば、ナビゲーション制御なども考えられる。
【０００８】
そして制御手段は、記録制御の開始前後を問わず、録音速度の変更指示を受け付ける変更指示受付手段（例えば操作スイッチ等）にて受け付けた変更指示に応じた記録速度にて、記録制御を実行する。
【０００９】
このため、記録制御を開始する前に記録速度を指示できるのはもちろん、記録制御を開始した後であっても記録速度を変更でき、適切な記録速度にて記録処理を実行できる。例えば音楽ＣＤのアルバム１枚を録音しようとした場合に、記録制御以外の制御と並行して実行する場合には数十分から１時間もかかるような状況であったとき、記録制御を開始する前の時点では、その程度の時間を許容できると考えていたのであれば、特に問題ない。しかし、状況が変わって、上述の記録時間を許容できない状況になったのであれば、例えば記録制御以外の制御の実行はせず、記録制御のみに専念して極力短時間で記録完了したいという要望が生じる。こうした場合、記録制御を開始した後であっても記録速度を変更できれば、その時点でのユーザの要望に極力マッチした適切な記録速度にて記録制御を実行することができることとなる。
【００１０】
上述の請求項１に係る処理装置の場合には、変更指示受付手段にて受け付けた変更指示に応じた記録速度にて記録制御を実行するようにしたため、例えばユーザが操作スイッチ等を操作することによって記録速度の変更指示をすることができる。これに対して、請求項２に係る処理装置によれば、そのようなユーザからの指示がなくても、制御手段自体が、自立的に判断して、適切な記録速度での記録制御を行うことができる。つまり、請求項２に係る処理装置によれば、制御手段が、コンテンツデータを記憶している可搬記憶媒体から読込手段によってコンテンツデータを読み込み、記録手段に記録する記録制御を実行すると共に、その記録制御以外の制御も並行して実行することができる。そして制御手段は、記録制御以外の制御の内容に応じ、記録制御とそれ以外の制御とが並行して実行可能な記録速度で最高記録制御を実行する。
【００１１】
これによって、例えば記録制御開始時にはナビゲーション機能を使用するために相対的に低速の記録速度での記録制御が開始されたとしても、途中でそのナビゲーション機能を使用するのを止めれば、自動的に、相対的に高速の記録速度での記録制御に変更するため、やはり、適切な記録速度にて記録制御を実行することができる。
【００１２】
記録制御以外の制御としては、読み込んだコンテンツデータを再生する制御やナビゲーション制御などが考えられることを説明した。これらの制御を実行することは、ユーザによる要望が比較的大きいと考えられるため、記録以外の制御を実行させないのではなく、ユーザが複数の制御を並行して実行することを希望する場合には、そのようにした方がよい性格のものである。但し、常にそのような制御の実行を希望するわけではなく、記録制御に対する緊急性の観点や、その他の制御の実行に対する重要性の観点等から総合的に決まるものである。そこで、上述のようにユーザの指示に応じたり、制御手段が自立的に判断することで適切な記録速度による記録制御を実行することは、非常に有効である。
【００１３】
また、請求項７に記載のプログラムを用いてコンピュータを請求項１〜請求項６の何れかに記載の処理装置の制御手段として機能させるようにしてもよい。
このようなプログラムは、磁気ディスク、光磁気ディスク、メモリカード等のコンピュータが読み取り可能な記録媒体に記録し、必要に応じてコンピュータにロードして起動することにより用いることができる。また、ネットワークを介してロードして起動することにより用いることもできる。したがって、機能アップ等を容易に行うことができる。
【発明を実施するための最良の形態】
【００１４】
以下、本発明が適用された実施例について図面を用いて説明する。尚、本発明の実施の形態は、下記の実施例に何ら限定されることはなく、本発明の技術的範囲に属する限り種々の形態を採りうる。
【００１５】
図１は処理装置の一実施例としてのＡＶＮ（Audio Visual Navigation）システム１の概略構成を示すブロック図である。ＡＶＮシステム１は、CD・MD再生、TV・FM／ＡＭラジオ受信といったＡＶ機能とナビゲーション機能を一体化したシステムであり、今後の車載システムの主流になり得るものである。
【００１６】
このＡＶＮシステム１は車両に搭載され、車両の現在位置を検出する位置検出器２１と、ユーザからの各種指示を入力するための操作スイッチ群２２と、各種データを記憶するためのハードディスク２３、ＡＶＮシステム１とは別の装置から情報を入力したり別の装置に情報を出力したりすることが可能な外部情報入出力部２４と、ＣＤドライブ２５と、地図や各種情報の表示を行うための表示部２６と、各種の音声を出力するためのオーディオアンプ２７及びスピーカ３７と、音声入力するためのマイクロフォン２８と、ＭＤドライブ３０と、ラジオ放送信号を受信するためのＦＭ／ＡＭチューナ３１と、テレビ放送信号を受信するためのＴＶチューナ３２と、上述した位置検出器２１，操作スイッチ群２２，ハードディスク２３，外部情報入出力部２４，ＣＤドライブ２５，マイクロフォン２８，ＭＤドライブ３０，ＦＭ／ＡＭチューナ３１，ＴＶチューナ３２からの入力に応じて各種処理を実行し、外部情報入出力部２４，表示部２６，オーディオアンプ２７，ＣＤドライブ２５，ＭＤドライブ３０，ＦＭ／ＡＭチューナ３１，ＴＶチューナ３２等制御する制御装置２９と、を備えている。
【００１７】
位置検出器２１は、ＧＰＳ（Global Positioning System）用の人工衛星からの送信電波をＧＰＳアンテナを介して受信し、車両の位置，方位，速度等を検出するＧＰＳ受信機２１ａと、車両に加えられる回転運動の大きさを検出するジャイロスコープ２１ｂと、車両の前後方向の加速度等から走行した距離を検出するための距離センサ２１ｃと、地磁気から進行方位を検出するための地磁気センサ２１ｄとを備えている。そして、これら各センサ等２１ａ〜２１ｄは、各々が性質の異なる誤差を有しているため、互いに補完しながら使用するように構成されている。
【００１８】
操作スイッチ群２２としては、表示部２６と一体に構成され、表示画面上に設置されるタッチパネル及び表示部２６の周囲に設けられたメカニカルなキースイッチ等が用いられる。尚、タッチパネルと表示部２６とは積層一体化されており、タッチパネルには、感圧方式，電磁誘導方式，静電容量方式，あるいはこれらを組み合わせた方式など各種の方式があるが、その何れを用いてもよい。
【００１９】
外部情報入出力部２４は、図示しないアンテナが接続され、そのアンテナを介して図示しないＶＩＣＳセンタから交通情報を受信する。この受信した交通情報は制御装置２９へ送られて案内経路を設定する際等に利用される。また、自動車電話や携帯電話を介してインターネットと接続し、各種情報を取得することができるようにされている。
【００２０】
ＣＤドライブ２５は、図示しないＣＤ−ＲＯＭに記憶された各種データを入力するための装置である。このＣＤドライブ２５にてデータ入力する対象のＣＤ−ＲＯＭとしては、例えば地図データ（道路の形状データ、道路の幅員データ、道路の規制データ、地形データ、マークデータ、交差点データ、施設のデータ等）等が記憶されたいわゆる地図ＣＤや、楽曲データが記憶されたいわゆる音楽ＣＤなどがある。なお、ここでは簡単のためにＣＤドライブ２５として説明するが、記憶媒体の種類に応じたドライブを用いることの一例であり、記憶媒体がＤＶＤ−ＲＯＭであれば、それに対応したドライブを用いる。したがって、このＣＤドライブ２５に加えてＤＶＤドライブを追加したり、あるいはＣＤドライブ２５に替えて、例えばＤＶＤ−ＲＯＭ及びＣＤ−ＲＯＭの両方からのデータ読込が可能なＤＶＤ／ＣＤドライブを用いることが考えられる。
【００２１】
ＣＤドライブ２５を介して音楽ＣＤから読み出された楽曲データは、ハードディスク２３に格納することができる。また、この楽曲データを再生させる場合におけるユーザの選択等を容易にするため、楽曲データをインデックスデータと対応させてハードディスク２３に格納することができる。このインデックスデータとは、アーティスト名称／アルバム名称／ジャンルデータなどである。これらのインデックスデータは、それを管理しているサーバからインターネット経由で取得する。この点については後述する。また、ＣＤドライブ２５を介して地図ＣＤから読み出された地図データや施設ガイド・各種案内のための音声データ等も、このハードディスク２３に記憶させることができる。
【００２２】
表示部２６は、カラー表示装置であり、液晶ディスプレイ，有機ＥＬディスプレイ，ＣＲＴなどがあるが、その何れを用いてもよい。表示部２６の表示画面には、位置検出器２１にて検出した車両の現在位置とＣＤドライブ２５より入力された地図データとから特定した現在地を示すマーク、目的地までの誘導経路、名称、目印、各種施設のマーク等の付加データとを重ねて表示することができる。また、施設のガイド等も表示できる。
【００２３】
オーディオアンプ２７は音声を増幅するためのものであり、その増幅された音声は、スピーカ３７から出力される。スピーカ３７は、例えば２個、４個、５個など複数から構成され、車両内に配置されている。そして、ハードディスク２３に記憶された施設のガイドや各種案内の音声データに基づいて制御装置２９が実行する処理の結果としてのガイド音声等や、ハードディスク２３に記憶された楽曲データに基づいて制御装置２９が再生した楽音信号を出力することができる。また、ＦＭ／ＡＭチューナ３１，ＴＶチューナ３２を介して受信した放送信号に基づく音声も出力することができる。
【００２４】
マイクロフォン２８は、利用者が音声を入力（発話）するとその入力した音声に基づく電気信号を出力するものである。利用者はこのマイクロフォン２８に様々な音声を入力することにより、ＡＶＮシステム１を操作することができる。
【００２５】
制御装置２９は、図２に示すように、ＣＰＵ２９１、ＲＯＭ，ＲＡＭ等のメモリ２９２、通信ドライバ２９３、エンコーダ２９４、デコーダ２９５、デジタルアナログコンバータ（ＤＡＣ）２９６、図示しないＩ／Ｏ及びこれらの構成を接続するバスラインなどから構成されており、メモリ２９２に記憶されたプログラムに基づいて各種処理を実行する。
【００２６】
例えば、ナビゲーション関連の処理としては、位置検出器２１からの各検出信号に基づき座標及び進行方向の組として車両の現在位置を算出し、ハードディスク２３から読み込んだ現在位置付近の地図等を表示部２６に表示する表示処理や、ハードディスク２３に格納された地点データと、操作スイッチ群２２の操作に従って設定された目的地とに基づいて、現在位置から目的地までの最適な経路を算出し、その算出した経路を案内する経路案内処理等を行う。
【００２７】
また、音楽ＣＤの録音再生関連の処理としては、ＣＤドライブ２５を介して音楽ＣＤから読み出した楽曲データをハードディスク２３に記録する録音処理や、操作スイッチ群２２の操作に従って選択された対象となる楽曲データをハードディスク２３から読み出して再生し、再生した楽音信号をオーディオアンプ２７に出力する再生処理を実行する。また、制御装置２９は、音楽ＣＤから読み出したＴＯＣ（Table of Contents）情報を元に、外部情報入出力部２４を介してインターネット経由では所定のサーバにアクセスし、該当するインデックスデータを取得する。そして、ハードディスク２３に、楽曲データとインデックスデータとを対応させて記憶する。このインデックスデータは例えばアーティスト名称／アルバム名称／ジャンルデータなどであり、ユーザの操作によって編集可能とされている。つまり、操作スイッチ群２２を操作することによって、例えばアーティスト名を愛称に変更したり省略した名称に変更したりすることができる。個人的に楽しむものであるため、このように自分の好みによってアーティスト名を変更することで、再生させる楽曲データを選択する際に選択が容易になったり、ユーザの趣味性を満足させることができる。
【００２８】
ここで、録音時、再生時及び録音再生時の制御装置２９の動作について図２，図３を参照して説明する。
図２（ａ）は、録音時のデータの流れを示している。ＣＰＵ２９１からＣＤドライブ２５、エンコーダ２９４を制御して、ＣＤドライブ２９１で再生した音楽ＣＤのデジタルデータをエンコーダ２９４に取り込む。エンコーダ２９４は、ハードディスク２３に記憶できるフォーマットに圧縮し、通信ドライバ２９３を介してハードディスク２３に書き込む。ここでのフォーマットとしては、ＭＰ３や、ＡＴＲＡＣＫ３、ＡＡＣなど、音質の劣化を最小限に抑えながら圧縮効率のよい非可逆なフォーマットを採用してもよいし、音質を全く損なわないが圧縮率が（相対的に）悪い可逆なフォーマットを採用しても良い。このフォーマット変換もエンコーダ２９４で行われる。ハードディスク２３には、上記フォーマットにそったファイル形式で保存される。
【００２９】
図２（ｂ）は、再生時のデータの流れを示している。上記録音制御によってハードディスク２３に録音した音楽ファイルを、通信ドライバ２９３を介して読み出し、デコーダ２９５に読み込ませる。デコーダ２９５によってデコードしたストリーム音声はＤＡＣ２９６でアナログ信号に変換されてオーディオアンプ２７に渡され、オーディオアンプ２７にて増幅された後、スピーカ３７から発音される。
【００３０】
図３（ａ）は、録音同時再生の場合（その１）のデータの流れを示している。ＣＰＵ２９１からＣＤドライブ２５、エンコーダ２９４を制御して、ＣＤドライブ２５で再生した音楽ＣＤのデジタルデータをエンコーダ２９４に取り込む。エンコーダ２９４は、このデジタルデータをハードディスク２３に記憶できるフォーマットに圧縮し、通信ドライバ２９３を介してハードディスク２３に書き込む。この書き込みと同時に、ハードディスク２３に録音した音楽ファイルを、通信ドライバ２９３を介して読み出し、デコーダ２９５に読み込ませる。デコーダ２９５によってデコードしたストリーム音声はＤＡＣ２９６でアナログ信号に変換されてオーディオアンプ２７に渡され、オーディオアンプ２７にて増幅された後、スピーカ３７から発音される。これにより、音楽ＣＤを録音しながら同時に再生することができる。なお、このようなデータの流れを実現する場合には、ハードディスク２３への読み書きのためのバスと、エンコーダ２９４、デコーダ２９５へのバスに対するトラフィックが高くなるため、相当高速なバスが不可欠となる。また、この構成であれば、録音する曲と、再生する曲を別々にすることもできる
可能である。
【００３１】
図３（ｂ）は、録音同時再生の場合（その２）のデータの流れを示している。ＣＰＵ２９１からＣＤドライブ２５、エンコーダ２９４を制御して、ＣＤドライブ２５で再生した音楽ＣＤのデジタルデータをエンコーダ２９４に取り込んでハードディスク２３に記憶できるフォーマットに圧縮する。そして、このエンコーダ２９４の出力を、ＣＰＵ２９１がメモリ２９２上にバッファリングする。バッファリングしたデータは、ＣＰＵ２９１が、時分割で、通信ドライバ２９３を介してハードディスク２３に書き込む処理と、デコーダ２９５へ出力する処理を行う。デコーダ２９５によってデコードしたストリーム音声はＤＡＣ２９６でアナログ信号に変換されてオーディオアンプ２７に渡され、オーディオアンプ２７にて増幅された後、スピーカ３７から発音される。このようにしても、音楽ＣＤを録音しながら同時に再生することができる。なお、このようなデータの流れを実現する場合には、バッファリングできるメモリ２９２の容量に限りがあることを考慮して、録音する曲と再生する曲は同じにすることが考えられる。
【００３２】
ここまででＡＶＮシステム１の概略構成を説明したが、ＡＶＮシステム１の各部と特許請求の範囲に記載の用語との対応を示しておく。ハードディスク２３が記録手段に相当し、ＣＤドライブ２５が読込手段に相当する。また、操作スイッチ群２２が変更指示受付手段に相当し、制御装置２９が制御手段に相当する。
【００３３】
次に、制御装置２９で実行される処理の内、音楽ＣＤの録音に係る処理に関して説明する。
制御装置２９は、録音モードを切り替えて録音することができる。録音モードは、モード１（標準）、モード２（高速）、モード３（中速）の３種類の録音速度に対応するものが準備されている。
【００３４】
［同時再生と非同時再生の場合における録音モードの切替］
図４を参照して、同時再生と非同時再生の場合における録音モードの切替について説明する。音楽ＣＤから録音する場合、ＣＤの読み込み速度・ＣＰＵの処理速度・エンコーダの処理速度・エンコードに使用できるメモリのサイズ・ＨＤＤへの通信のバスのトラフィック、といった要因で録音速度の上限が決まる。
【００３５】
そこで、図４（ａ）に示すように、モード１（標準）とモード２（高速）とを切り替える。モード１（標準）は、同時再生がある場合を想定したものであり、録音速度をＸ倍とする。この録音速度に関しては、システム全体のパフォーマンスが高ければ、音楽ＣＤの読み込みと、ハードディスク２３への書き込みを両立できるため、例えば録音速度Ｘ１＝２倍としてもよい。また、パフォーマンスが低ければ、音楽ＣＤを再生する箇所とハードディスク２３へ書き込む箇所が同じになるため、限りなく録音速度Ｘ２＝１倍に近い速度とせざるを得ない。
【００３６】
一方、モード２（高速）は、同時再生がない場合を想定したものであり、録音速度をＹ倍とする。この録音速度に関しては、ハードディスク２３への録音に独占することができれば、システムのパフォーマンスの最高速で録音ができる。例えばパフォーマンスの最高速が４倍であれば録音速度Ｙ＝４倍とすることが考えられる。
【００３７】
モード間の切り替えについては、例えば録音時に多少録音に時間がかかってもいいのでユーザが音楽ＣＤを聞きたい場合（モード１）と、音楽ＣＤ以外の音声（例えばラジオ）を楽しめばよく、とにかく短時間で録音して欲しい場合（モード２）とを、選択できるようにする。また、録音の途中でも切替できるようにする。さらに、ソースに応じて自動的に切り替えるようにしてもよい。
【００３８】
例えば、録音開始時にモード選択ができるようにすることが考えられる。この場合は、図４（ｂ）に示すように「録音中に同時に再生しますか」というガイダンスを表示部２６に表示すると共に、「する」「しない」という２種類のスイッチを表示して、ユーザに選択させるようにすることが考えられる。また、録音途中には図４（ｃ）に示すようなスイッチを表示部２６に表示し、ユーザが録音速度を切り替えられるようにする。例えば図４（ｂ）に示す状態は、高速で録音中である旨及び対象曲の順番と曲名を表示すると共に、スイッチ「高速」が現在選択中であることを示している。そして、スイッチ「低速」は操作可能な状態であり、このスイッチ「低速」をユーザが押せば、録音速度を低速に切り替えることができる。さらに、図４（ｄ）に示すように、モード１（標準）で録音している状態でＣＤ以外のソースに切り替わった場合には、自動的にモード２（高速）で録音するように切り替える。逆に、モード２（高速）で録音している状態でＣＤのソースに切り替わった場合には、自動的にモード１（標準）で録音するように切り替える。
【００３９】
［他機能との両立の場合における録音モードの切替］
図５を参照して、他機能との両立の場合における録音モードの切替について説明する。他の機能、例えばナビゲーション機能における地図の表示と両立させるためには、リソースを当該他の機能に与える必要がある。一方、上述したように、音楽ＣＤから録音する場合、ＣＤの読み込み速度・ＣＰＵの処理速度・エンコーダの処理速度・エンコードに使用できるメモリのサイズ・ＨＤＤへの通信のバスのトラフィック、といった要因などで録音速度の上限が決まる。
【００４０】
そこで、図５（ａ）に示すように、モード２（高速）とモード３（中速）とを切り替える。モード２（高速）は、上述したように同時再生がない場合を想定したものであり、録音速度をＹ倍とする。この録音速度に関しては、ハードディスク２３への録音に独占することができれば、システムのパフォーマンスの最高速で録音ができる。例えばパフォーマンスの最高速が４倍であれば録音速度Ｙ＝４倍とすることが考えられる。
【００４１】
一方、モード３（中速）は、同時再生がある場合を想定したものであり、録音速度をＺ倍とする。この録音速度に関しては、他の機能へのリソースを配分できる範囲で、ハードディスクへの録音速度を決定するため、例えば録音速度Ｚ＝２倍とすることが考えられる。
【００４２】
モード間の切り替えについては、例えば録音時に多少録音に時間がかかってもいいので他の機能を動作させたい場合（モード３）と、他の機能は一切動作しなくてもよく、とにかく短時間で録音して欲しい場合（モード２）とを、選択できるようにする。また、録音の途中でも切替できるようにする。例えば、ナビゲーション地図を表示したり、音声案内（例えば経路案内等）できるようにする。さらに、表示している画面内容に応じて自動的に切り替えるようにしてもよい。
【００４３】
例えば、録音開始時にモード選択ができるようにすることが考えられる。この場合は、図５（ｂ）に示すように「録音中にナビ機能を動作しますか」というガイダンスを表示部２６に表示すると共に、「する」「しない」という２種類のスイッチを表示して、ユーザに選択させるようにすることが考えられる。また、録音途中には図５（ｃ）に示すようなスイッチを表示部２６に表示し、ユーザが録音速度を切り替えられるようにする。例えば図５（ｂ）に示す状態は、高速で録音中である旨及び対象曲の順番と曲名を表示すると共に、スイッチ「高速」が現在選択中であることを示している。そして、スイッチ「中速」は操作可能な状態であり、このスイッチ「中速」をユーザが押せば、録音速度を中速に切り替えることができる。さらに、図５（ｄ）に示すように、モード２（高速）を選択している状態からモード３（中速）に切り替えた場合には、表示部２６における表示画面をナビ画面に切り替える。逆に、モード３（中速）を選択している状態からモード２（高速）に切り替えた場合には、録音中画面に切り替える。もちろん、元々録音中画面を表示していた場合にはそのままの画面状態とする。なお、表示画面に応じてモードを自動的に切り替える場合、モード２（高速）で録音している状態で表示部２６における表示画面がナビ画面に切り替わった場合には、自動的にモード３（中速）で録音するように切り替える。逆に、モード３（中速）で録音している状態でナビ画面から録音中画面に切り替わった場合には、自動的にモード２（中速）で録音するように切り替える。
【００４４】
［録音モードの切替状態遷移］
図６には、モード１，２，３という３モードを相互に切り替える場合の状態遷移の概要を示した。
【００４５】
モード１の「同時再生しながら録音中」の状態において、音声をＣＤ以外に切り替えた場合には、モード２に遷移する。この場合は録音中画面のままとし、制御装置２９のＣＰＵ、バス等の性能が許す限りの速度で録音に専念する。モード２の録音画面を表示している状態からナビ画面に切り替えると、録音と同時にナビ機能における表示・案内を実施する必要があるため、制御装置２９においてはナビ機能が動作できるだけのＣＰＵや、バスの負荷を解放し、速度を少し落として録音する。逆の画面の操作や、音声の操作があった場合は、逆の状態遷移をする。
【００４６】
ここまでが、録音モードの切替に関する全体的な説明であったが、録音開始時にモード選択する場合の具体例に関して簡単に説明しておく。
図７は、録音速度をユーザに選択させる場合の処理例を示すフローチャートである。
【００４７】
まず、ＣＤドライブ２５に音楽ＣＤを挿入してセットする（Ｓ１１０）。そして、音楽ＣＤの再生が開始すると（Ｓ１２０）、表示部２６には画面Ｇ１１が表示される。この画面Ｇ１１においては、左上に音源を示す「ＣＤ」と表示され、中央に、ＣＤタイトル・アーティスト名・１番目の曲名が表示され、右下に録音スイッチが表示される。
【００４８】
上述したように操作スイッチ群２２は、表示部２６とは積層一体化されたタッチパネルを有しており、この録音スイッチ部分をユーザが押すと（Ｓ１３０）、録音モードに移行する。録音モードに移行した場合には、表示部２６には画面Ｇ１２が表示される。この画面Ｇ１２は録音設定をするためのものであり、上部にはその状態を示す「録音設定」が表示され、中央部には曲番号と曲名（ここでは順番に５曲）及びその録音をするか否かを指定するためのチェック欄が表示され、下部に録音開始スイッチが表示される。本実施例では、録音開始スイッチは録音速度によって「標準」「中速」「高速」の３種類が準備されており、それらが表示される。
【００４９】
そして、チェック欄を押すことによって録音対象曲が指定され（Ｓ１４０）、その後、録音開始スイッチがユーザによって押されると（Ｓ１５０）、どの速度に対応するスイッチが押されたのかを判断する（Ｓ１６０）。
【００５０】
「標準」スイッチが押されたのであればＳ１７０へ移行して、録音モード１「標準」に設定して録音を開始する。この場合、オーディオアンプ２７及びスピーカ３７を介して出力される音声は、録音している音楽ＣＤの楽曲に係るものであり、表示部２６に表示される画面は録音画面のままである。この録音画面は例えば画面Ｇ１３のようなものであり、例えばＳ１７０へ移行した場合であれば、画面上部には録音モードを示す「標準」が表示され、中央部には曲番号と曲名（ここでは順番に５曲）及び録音が済んだのか、録音中なのか、未だ録音されていないのかを示すためのチェック欄が表示される。なお、チェック欄には、録音済みの場合は「済」、録音中の場合には「★」、未録音の場合には「未」と表示される。また、下部には中止スイッチとスキップスイッチが表示される。中止スイッチが押された場合には録音処理自体を中止し、スキップスイッチが押された場合には録音中の曲を飛ばして、次の曲の録音を開始する。
【００５１】
一方、「中速」スイッチが押されたのであればＳ１８０へ移行して、録音モード３「中速」に設定して録音を開始する。この場合、オーディオアンプ２７及びスピーカ３７を介して出力される音声は、録音している音楽ＣＤの楽曲以外に係るものであり、表示部２６に表示される画面はナビゲーション画面に切り替わる。
【００５２】
また、「高速」スイッチが押されたのであればＳ１９０へ移行して、録音モード２「高速」に設定して録音を開始する。この場合、オーディオアンプ２７及びスピーカ３７を介して出力される音声は、録音している音楽ＣＤの楽曲以外に係るものであり、表示部２６に表示される画面はナビゲーション画面に切り替わる。
【００５３】
そして、録音が終了すると、画面Ｇ１４に示すように「録音を終了しました」との表示を出す（Ｓ２００）。
図８は、録音同時再生か、録音のみかをユーザに選択させる場合の処理例を示すフローチャートである。
【００５４】
まず、ＣＤドライブ２５に音楽ＣＤを挿入してセットする（Ｓ２１０）。そして、音楽ＣＤの再生が開始すると（Ｓ２２０）、表示部２６には画面Ｇ２１が表示される。この画面Ｇ２１においては、左上に音源を示す「ＣＤ」と表示され、中央に、ＣＤタイトル・アーティスト名・１番目の曲名が表示され、右下に録音スイッチが表示される。
【００５５】
この録音スイッチ部分をユーザが押すと（Ｓ２３０）、録音モードに移行する。録音モードに移行した場合には、表示部２６には画面Ｇ２２が表示される。この画面Ｇ２２は録音設定をするためのものであり、上部にはその状態を示す「録音設定」が表示され、中央部には曲番号と曲名（ここでは順番に５曲）及びその録音をするか否かを指定するためのチェック欄が表示され、下部に録音開始スイッチが表示される。本実施例では、「スタート」と表示されたスイッチが録音開始スイッチである。
【００５６】
そして、チェック欄を押すことによって録音対象曲が指定され（Ｓ２４０）、その後、録音開始スイッチがユーザによって押されると（Ｓ２５０）、次に、画面Ｇ２３に示すように、「再生しながら、録音しますか」という表示と共に「はい」「いいえ」というスイッチを表示する。そして、その何れのスイッチが押されたかによって同時再生の指示か否かを判断する（Ｓ２６０）。
【００５７】
同時再生の場合にはＳ２７０へ移行して、録音モード１「標準」に設定して録音を開始する。この場合、オーディオアンプ２７及びスピーカ３７を介して出力される音声は、録音している音楽ＣＤの楽曲に係るものであり、表示部２６に表示される画面は録音画面のままである。この録音画面は例えば画面Ｇ２３のようなものであり、例えばＳ２７０へ移行した場合であれば、画面上部には録音モードを示す「標準」が表示され、中央部には曲番号と曲名（ここでは順番に５曲）及び録音が済んだのか、録音中なのか、未だ録音されていないのかを示すためのチェック欄が表示される。
【００５８】
一方、同時再生でない場合にはＳ２８０へ移行して、録音モード２「高速」に設定して録音を開始する。この場合、オーディオアンプ２７及びスピーカ３７を介して出力される音声は、録音している音楽ＣＤの楽曲以外に係るものであるが、表示部２６に表示される画面は録音画面のままである。
【００５９】
そして、録音が終了すると、画面Ｇ２４に示すように「録音を終了しました」との表示を出す（Ｓ２９０）。
図９は、ナビ画面を表示するかをユーザに選択させる場合の処理例を示すフローチャートである。
【００６０】
まず、ＣＤドライブ２５に音楽ＣＤを挿入してセットする（Ｓ３１０）。そして、音楽ＣＤの再生が開始すると（Ｓ３２０）、表示部２６には画面Ｇ３１が表示される。この画面Ｇ２１においては、左上に音源を示す「ＣＤ」と表示され、中央に、ＣＤタイトル・アーティスト名・１番目の曲名が表示され、右下に録音スイッチが表示される。
【００６１】
この録音スイッチ部分をユーザが押すと（Ｓ３３０）、録音モードに移行する。録音モードに移行した場合には、表示部２６には画面Ｇ３２が表示される。この画面Ｇ３２は録音設定をするためのものであり、上部にはその状態を示す「録音設定」が表示され、中央部には曲番号と曲名及びその録音をするか否かを指定するためのチェック欄が表示され、下部に録音開始スイッチが表示される。本実施例では、「スタート」と表示されたスイッチが録音開始スイッチである。
【００６２】
そして、チェック欄を押すことによって録音対象曲が指定され（Ｓ３４０）、その後、録音開始スイッチがユーザによって押されると（Ｓ３５０）、次に、画面Ｇ３３に示すように、「ナビ画面を表示しますか」という表示と共に「はい」「いいえ」というスイッチを表示する。そして、その何れのスイッチが押されたかによってナビ画面を表示する指示か否かを判断する（Ｓ３６０）。
【００６３】
ナビ画面の表示指示ではない場合にはＳ３７０へ移行して、録音モード１「標準」に設定して録音を開始する。この場合、オーディオアンプ２７及びスピーカ３７を介して出力される音声は、録音している音楽ＣＤの楽曲に係るものであり、表示部２６に表示される画面は録音画面のままである。この録音画面は例えば画面Ｇ３３のようなものであり、例えばＳ３７０へ移行した場合であれば、画面上部には録音モードを示す「標準」が表示され、中央部には曲番号と曲名及び録音が済んだのか、録音中なのか、未だ録音されていないのかを示すためのチェック欄が表示される。
【００６４】
一方、同時再生でない場合にはＳ３８０へ移行して、録音モード３「中速」に設定して録音を開始する。この場合、オーディオアンプ２７及びスピーカ３７を介して出力される音声は、録音している音楽ＣＤの楽曲以外に係るものであり、表示部２６に表示される画面はナビ画面である。
【００６５】
そして、録音が終了すると、画面Ｇ３４に示すように「録音を終了しました」との表示を出す（Ｓ３９０）。
以上説明した本実施例のＡＶＮシステム１によれば、音楽ＣＤから読み込んだコンテンツデータをハードディスク２３に記録する記録制御を実行すると共に、その記録制御以外の制御も並行して実行することができるのであるが、操作スイッチ群２２を介して、録音制御の開始前後を問わず、録音速度の変更指示を受け付けることができ、その受け付けた変更指示に応じた録音速度にて録音制御を実行する。このため、録音制御を開始した後であっても録音速度を変更でき、適切な録音速度にて録音処理を実行できる。例えば音楽ＣＤのアルバム１枚を録音しようとした場合に、例えばナビゲーション制御と並行して実行する場合には数十分から１時間もかかるような状況であったとき、録音制御を開始する前の時点では、その程度の時間を許容できると考えていたのであれば、特に問題ない。しかし、状況が変わって、上述の録音時間を許容できない状況になったのであれば、例えばナビゲーション制御も含め、録音制御以外の制御の実行はせずに録音制御のみに専念して極力短時間で記録完了したいという要望が生じる。こうした場合、録音制御を開始した後であっても録音速度を変更できれば、その時点でのユーザの要望に極力マッチした適切な記録速度にて記録制御を実行することができることとなる。
【００６６】
本実施例では車載システムとして実現しているが、特に車載システムにてＡＶＮシステムを構築する場合、制御部は共通とし、図１に示すように制御装置２９が統合して制御する構成とすることが多い。したがって、録音制御とそれ以外の制御を制御装置２９が並行して実行可能なようになっていることを前提とし、しかし、録音制御を優先したい場合や、複数の制御を並行して実行させたい場合など、状況によってユーザの要望も種々変化する。したがって、その時々の要望にマッチした適切な録音速度で録音制御が実行できれば、非常に有効である。
【００６７】
また、そのようなユーザからの指示がなくても、表示部２６への表示画面の内容に応じて制御装置２９が自立的に判断し、適切な録音速度での録音制御を行うことができる。例えばナビ画面の表示がユーザから指示された場合には、ユーザがナビ画面の表示を希望していることが推定されるため、ナビ機能に係る制御と録音制御とを並行して実行できるような録音モードに自動的に切り替える。逆に、ナビ画面から録音画面への表示切り替えがユーザからなされた場合には、録音を優先させたいという希望が推定されるため、録音制御に専念する。このように、適切な録音速度での録音制御が実現できる。
【００６８】
以下、他の実施例について説明する。
（１）上記実施例では図２，３に示すように制御装置２９がエンコーダ２９及びデコーダ２９５を備え、いわゆる「ハード的に」エンコード・デコードする構成であったが、いわゆる「ソフト的に」エンコード・デコードする構成としてもよい。その場合は、図１０に示す制御装置１２９のように、ＣＰＵがエンコード部、デコード部及びバッファ等を備え、直接ＤＡＣとデータのやりとりをすればよい。
【００６９】
まず、図１０（ａ）を参照して、ソフトデコードの場合における録音同時再生時のデータの流れを説明する。
ＣＤドライブ２５で再生した音楽ＣＤのデジタルデータをＣＰＵに取り込む。ＣＰＵで一時的にバッファにデータをバッファリングし、エンコード部でハードディスク２３に記憶できるフォーマットに圧縮し、通信ドライバを介してハードディスク２３に書き込む。
それと同時に、バッファから読み出したデータをＤＡＣを介してオーディオアンプ２７へ出力する。この場合は、一時的にバッファリングするメモリ容量にも限りがあるため、同じ曲を書き込みながら、再生することが考えられる。
【００７０】
なお、ＣＰＵがＤＡＣ側にデータを渡さずエンコード部だけに渡せば、同時再生せずに録音のみできることとなる。
一方、図１０（ｂ）を参照して、ソフトデコードの場合における再生時のデータの流れを説明する。
【００７１】
ハードディスク２３に録音した音楽ファイルを、通信ドライバを介して、デコード部に読み込ませる。デコード部にてデコードしたストリーム音声をＤＡＣでアナログに変換し、オーディオアンプ２７に出力する。
【００７２】
このようなソフトデコード方式であっても、同様に実現できる。
（２）上記実施例では録音制御、すなわち記録対象として楽曲データを想定して説明したが、楽曲の代わりに動画（例えば映画やプロモーションビデオ等）や、音声（例えば小説を読み上げたものや落語等）や、テキスト（例えば新聞記事や雑誌記事等）を録音・再生（表示）してもよい。このような場合であっても、記録制御とそれ以外の制御を並行して実行するか否かで記録速度を可変にすることの有意性があるからである。なお、動画等がコンテンツデータとなる場合には、可搬記憶媒体としてＤＶＤ−ＲＯＭ等の使用が考えられる。したがって、当然ながらＣＤドライブ２５に替えて、あるいはＣＤドライブ２５と共にＤＶＤドライブを準備すればよい。あるいはＣＤ−ＲＯＭ及びＤＶＤ−ＲＯＭの両方の読み出しが可能なＣＤ−ＤＶＤドライブなどを用いても良い。
【００７３】
（３）ユーザがＡＶＮシステム１に対して指示等を入力する際、上記実施例では、操作スイッチ群２２を介した手入力にて行ったが、例えばマイクロフォン２８を介した音声入力にても実行できるようにしてもよい。車載システムの場合には運転者がユーザとなることが多いため、音声入力が可能であると便利である。手操作による入力ではなく音声入力が可能であれば、運転者がハンドル等の運転装置から手を離すことなく音声によって指示を与えることができ安全性が高まるからである。
【００７４】
（４）上記実施例では車載システムとして実現した一例を示したが、車載システムに限定されることはなく、種々のシステムに適用可能である。
【図面の簡単な説明】
【００７５】
【図１】実施例のＡＶＮシステムの構成を示すブロック図である。
【図２】録音時・再生時のデータの流れを示す説明図である。
【図３】録音同時再生時のデータの流れを示す説明図である。
【図４】同時再生と非同時再生の場合における録音モードの切り替えの説明図である。
【図５】他機能との両立の場合における録音モードの切り替えの説明図である。
【図６】録音モードの切替状態の遷移を示す説明図である。
【図７】録音速度をユーザに選択させる場合の処理例を示すフローチャートである。
【図８】録音同時再生か、録音のみかをユーザに選択させる場合の処理例を示すフローチャートである。
【図９】ナビ画面を表示するかをユーザに選択させる場合の処理例を示すフローチャートである。
【図１０】ソフト的にエンコード・デコードする場合の構成例及びデータの流れを示す説明図である。
【符号の説明】
【００７６】
１…ＡＶＮシステム、２１…位置検出器、２１ａ…ＧＰＳ受信機、２１ｂ…ジャイロスコープ、２１ｃ…距離センサ、２１ｄ…地磁気センサ、２２…操作スイッチ群、２３…ハードディスク、２４…外部情報入出力部、２５…ＣＤドライブ、２６…表示部、２７…オーディオアンプ、２８…マイクロフォン、２９…制御装置、３０…ＭＤドライブ、３１…ＦＭ／ＡＭチューナ、３２…ＴＶチューナ、３７…スピーカ、２９１…ＣＰＵ、２９２…メモリ、２９３…通信ドライバ、２９４…エンコーダ、２９５…デコーダ、２９６…デジタルアナログコンバータ（ＤＡＣ）。
【図１】
2005078776.tif 000003
【図２】
2005078776.tif 000004
【図３】
2005078776.tif 000005
【図４】
2005078776.tif 000006
【図５】
2005078776.tif 000007
【図７】
2005078776.tif 000008
【図８】
2005078776.tif 000009
【図９】
2005078776.tif 000010
【図１０】
2005078776.tif 000011
【図６】
2005078776.tif 000012